【手続補正書】
【提出日】平成17年11月15日(2005.11.15)
【手続補正１】
【補正対象書類名】明細書
【補正対象項目名】発明の名称
【補正方法】変更
【補正の内容】
【発明の名称】カラー電子写真画像形成装置及びプロセスカートリッジ
【手続補正２】
【補正対象書類名】明細書
【補正対象項目名】特許請求の範囲
【補正方法】変更
【補正の内容】
【特許請求の範囲】
【請求項１】複数個のプロセスカートリッジを水平方向に並べて取り外し可能に装着して、記録媒体にカラー画像を形成するカラー電子写真画像形成装置において、
ａ．互いに反対方向に向かって開口している第１の溝と第２の溝であって、上下方向に重なって配置されている第１の溝と第２の溝を有する第１のガイド部材と、
ｂ．互いに反対方向に向かって開口している第１の溝と第２の溝であって、上下方向に重なって配置されている第１の溝と第２の溝を有する第２のガイド部材と、
ｃ．互いに反対方向に向かって開口している第１の溝と第２の溝であって、上下方向に重なって配置されている第１の溝と第２の溝を有する第３のガイド部材と、
ｄ．電子写真感光体ドラムと、
前記電子写真感光体ドラムに作用するプロセス手段と、
前記プロセスカートリッジを前記電子写真画像形成装置の装置本体に装着する装着方向に沿って、前記装着方向と交叉する方向の一端側に配置されている第１の被ガイド部と、
前記装着方向に沿って、前記装着方向と交叉する方向の他端側に配置されている第２の被ガイド部であって、前記第１の被ガイド部とは異なった高さに配置されている第２の被ガイド部と、
を有する複数個のプロセスカートリッジと、
を有し、
前記複数個のプロセスカートリッジの内１つのプロセスカートリッジを前記装置本体に装着するにあたって、前記１つのプロセスカートリッジの有する前記第１の被ガイド部を前記第２のガイド部材の有する前記第１の溝に沿ってガイドし、前記１つのプロセスカートリッジの有する前記第２の被ガイド部を前記第１のガイド部材の有する前記第２の溝に沿ってガイドし、及び、前記複数個のプロセスカートリッジの内他の１つのプロセスカートリッジを前記装置本体に装着するにあたって、前記他の１つのプロセスカートリッジの有する前記第１の被ガイド部を前記第３のガイド部材の有する前記第１の溝に沿ってガイドし、前記他の１つのプロセスカートリッジの有する前記第２の被ガイド部を前記第２のガイド部材の有する前記第２の溝に沿ってガイドするように構成したことを特徴とするカラー電子写真画像形成装置。
【請求項２】複数個のプロセスカートリッジを水平方向に並べて取り外し可能に装着して、記録媒体にカラー画像を形成するカラー電子写真画像形成装置であって、
ａ．互いに反対方向に向かって開口している第１の溝と第２の溝であって、上下方向に重なって配置されている第１の溝と第２の溝を有する第１のガイド部材と、
ｂ．互いに反対方向に向かって開口している第１の溝と第２の溝であって、上下方向に重なって配置されている第１の溝と第２の溝を有する第２のガイド部材と、
ｃ．互いに反対方向に向かって開口している第１の溝と第２の溝であって、上下方向に重なって配置されている第１の溝と第２の溝を有する第３のガイド部材と、
を有するカラー電子写真画像形成装置の装置本体に着脱可能なプロセスカートリッジであって、
ｄ．電子写真感光体ドラムと、
前記電子写真感光体ドラムに作用するプロセス手段と、
前記プロセスカートリッジを前記電子写真画像形成装置の装置本体に装着する装着方向に沿って、一端側に配置されている第１の被ガイド部と、
前記装着方向に沿って、他端側に配置されている第２の被ガイド部であって、前記第１の被ガイド部とは異なった高さに配置されている第２の被ガイド部と、
を有し、
前記装置本体に装着するにあたって、前記プロセスカートリッジの有する前記第１の被ガイド部を前記第２のガイド部材の有する前記第１の溝に沿ってガイドし、前記プロセスカートリッジの有する前記第２の被ガイド部を前記第１のガイド部材の有する前記第２の溝に沿ってガイドするように構成したことを特徴とするプロセスカートリッジ。
【手続補正３】
【補正対象書類名】明細書
【補正対象項目名】０００１
【補正方法】変更
【補正の内容】
【０００１】
【発明の属する技術分野】
本発明はカラー（多色）電子写真画像形成装置（以下、単に電子写真画像形成装置、又は画像形成装置という）、及びこの本体に着脱可能なプロセスカートリッジに関する。
【手続補正４】
【補正対象書類名】明細書
【補正対象項目名】００１３
【補正方法】変更
【補正の内容】
【００１３】
本出願に係る第１の発明は複数個のプロセスカートリッジを水平方向に並べて取り外し可能に装着して、記録媒体にカラー画像を形成するカラー電子写真画像形成装置において、
ａ．互いに反対方向に向かって開口している第１の溝と第２の溝であって、上下方向に重なって配置されている第１の溝と第２の溝を有する第１のガイド部材と、
ｂ．互いに反対方向に向かって開口している第１の溝と第２の溝であって、上下方向に重なって配置されている第１の溝と第２の溝を有する第２のガイド部材と、
ｃ．互いに反対方向に向かって開口している第１の溝と第２の溝であって、上下方向に重なって配置されている第１の溝と第２の溝を有する第３のガイド部材と、
ｄ．電子写真感光体ドラムと、
前記電子写真感光体ドラムに作用するプロセス手段と、
前記プロセスカートリッジを前記電子写真画像形成装置の装置本体に装着する装着方向に沿って、前記装着方向と交叉する方向の一端側に配置されている第１の被ガイド部と、
前記装着方向に沿って、前記装着方向と交叉する方向の他端側に配置されている第２の被ガイド部であって、前記第１の被ガイド部とは異なった高さに配置されている第２の被ガイド部と、
を有する複数個のプロセスカートリッジと、
を有し、
前記複数個のプロセスカートリッジの内１つのプロセスカートリッジを前記装置本体に装着するにあたって、前記１つのプロセスカートリッジの有する前記第１の被ガイド部を前記第２のガイド部材の有する前記第１の溝に沿ってガイドし、前記１つのプロセスカートリッジの有する前記第２の被ガイド部を前記第１のガイド部材の有する前記第２の溝に沿ってガイドし、及び、前記複数個のプロセスカートリッジの内他の１つのプロセスカートリッジを前記装置本体に装着するにあたって、前記他の１つのプロセスカートリッジの有する前記第１の被ガイド部を前記第３のガイド部材の有する前記第１の溝に沿ってガイドし、前記他の１つのプロセスカートリッジの有する前記第２の被ガイド部を前記第２のガイド部材の有する前記第２の溝に沿ってガイドするように構成したことを特徴とするカラー電子写真画像形成装置である。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
本出願に係る第２の発明は複数個のプロセスカートリッジを水平方向に並べて取り外し可能に装着して、記録媒体にカラー画像を形成するカラー電子写真画像形成装置であって、
ａ．互いに反対方向に向かって開口している第１の溝と第２の溝であって、上下方向に重なって配置されている第１の溝と第２の溝を有する第１のガイド部材と、
ｂ．互いに反対方向に向かって開口している第１の溝と第２の溝であって、上下方向に重なって配置されている第１の溝と第２の溝を有する第２のガイド部材と、
ｃ．互いに反対方向に向かって開口している第１の溝と第２の溝であって、上下方向に重なって配置されている第１の溝と第２の溝を有する第３のガイド部材と、
を有するカラー電子写真画像形成装置の装置本体に着脱可能なプロセスカートリッジであって、
ｄ．電子写真感光体ドラムと、
前記電子写真感光体ドラムに作用するプロセス手段と、
前記プロセスカートリッジを前記電子写真画像形成装置の装置本体に装着する装着方向に沿って、一端側に配置されている第１の被ガイド部と、
前記装着方向に沿って、他端側に配置されている第２の被ガイド部であって、前記第１の被ガイド部とは異なった高さに配置されている第２の被ガイド部と、
を有し、
前記装置本体に装着するにあたって、前記プロセスカートリッジの有する前記第１の被ガイド部を前記第２のガイド部材の有する前記第１の溝に沿ってガイドし、前記プロセスカートリッジの有する前記第２の被ガイド部を前記第１のガイド部材の有する前記第２の溝に沿ってガイドするように構成したことを特徴とするプロセスカートリッジである。
【手続補正８】
【補正対象書類名】明細書
【補正対象項目名】００７７
【補正方法】変更
【補正の内容】
【００７７】
【発明の効果】
本発明によればプロセスカートリッジを装着する際に使用されるガイドレール（第１の溝、第２の溝）及びガイド部（第１の被ガイド部、第２の被ガイド部）の対の高さを左右で変えることにより、プロセスカートリッジの前後を間違えるという誤装着を未然に防止することが可能となる。及び隣接するプロセスカートリッジを接近できるのでカラー電子写真画像形成装置の小型化が可能となる。